(57)【要約】【課題】パーマネント処理剤等がかかっても、その巻き上げ状態が保持されて、頭部に安定して装着される毛髪保持具を提供すること。【解決手段】本発明の毛髪保持具１は、一端部の開口部２１から他端部の開口部２２に向けて毛髪束Ｈを挿入可能なようにシート２３により構成された筒状体２と、該筒状体２の巻き上げ用の巻き上げ用糸７とを備え、該巻き上げ用糸７は、その一端が筒状体２の他端部２６近傍に係止され、その他端側を引っ張ることにより該筒状体２が巻き上がるようになされており、筒状体２を巻き上げた後、該筒状体２から引き出された巻き上げ用糸７をその状態で固定するストッパー部３を備えており、ストッパー部３は、変形されて巻き上げ用糸７を固定するように設けられている。【選択図】図１
2008142432.tif 000002
【特許請求の範囲】
【請求項１】
一端部の開口部から他端部の開口部に向けて毛髪束を挿入可能にシートにより構成された筒状体と、該筒状体の巻き上げ用の巻き上げ用糸とを備え、該巻き上げ用糸は、その一端が前記筒状体の前記他端部近傍に係止され、その他端側を引っ張ることにより該筒状体が巻き上がるようになされている毛髪保持具において、
前記筒状体を巻き上げた後、該筒状体から引き出された前記巻き上げ用糸をその状態で固定するストッパー部を備えており、
前記ストッパー部は、変形されて前記巻き上げ用糸を固定するように設けられている毛髪保持具。
【請求項２】
前記ストッパー部は、該ストッパー部の一部分の弾性変形による復元力によって又は該ストッパー部の一部分の塑性変形によって前記巻き上げ用糸を固定するように設けられている請求項１に記載の毛髪保持具。
【請求項３】
前記ストッパー部は、前記巻き上げ用糸を解除可能に押圧固定するように設けられている請求項１記載の毛髪保持具。
【請求項４】
前記ストッパー部は、弾性変形または塑性変形している該ストッパー部の一部分を元の状態に戻すことによって、押圧固定されている前記巻き上げ用糸を解除するように設けられている請求項１記載の毛髪保持具。
【請求項５】
前記ストッパー部が、前記筒状体の前記一端部に接合されている請求項１〜４の何れかに記載の毛髪保持具。
【請求項６】
前記ストッパー部は、弾性を有するシート片から形成されており、該シート片には、貫通孔部が設けられており且つ該貫通孔部を中心として放射状に延びる一対の切れ目が形成されており、一対の該切れ目同士は鋭角をなしており、該貫通孔部には、前記巻き上げ用糸が挿通されている請求項１〜５の何れかに記載の毛髪保持具。
【請求項７】
前記ストッパー部は扁平筒状体であり、該扁平筒状体には前記巻き上げ用糸が挿通されており、該扁平筒状体は、塑性変形可能である請求項１〜６の何れかに記載の毛髪保持具。
【発明の詳細な説明】
【技術分野】
【０００１】
本発明は、パーマ等により毛髪にカールを付与する場合に、毛髪束を所定の形状に巻き上げるときの補助具として用いられる毛髪保持具に関する。
【背景技術】
【０００２】
下記特許文献１には、本出願人による「一端部の開口部から他端部の開口部に向けて毛髪束を挿通可能にシートにより構成された筒状体と、該筒状体の巻き上げ用の巻き上げ用糸とを備え、前記巻き上げ用糸は、その一端が前記筒状体の前記他端部近傍に止着され、その他端側を引っ張ることにより該筒状体が巻き上がるようになされており、前記筒状体が巻き上げられた後において該筒状体から引き出されている前記巻き上げ用糸の長さを処理する糸処理機構を備えており、該糸処理機構により、該筒状体から引き出されている該巻き上げ用糸の実質的な延出長さが、該筒状体から引き出されている該巻き上げ用糸の伸長長さよりも短くなるようになっている毛髪保持具」が記載されている。
【０００３】
特許文献１に記載の毛髪保持具は、更に糸留めを有している。糸留めは、貫通孔を有しており、該貫通孔に巻き上げ用糸が挿通されていて、巻き上げ用糸に沿って移動自在になっていると共に、所定位置で固定できるようになっている。そのため、筒状体を巻き上げた後において、糸留めを前記筒状体の前記一端部近傍に移動し、その位置で固定することにより、筒状体の巻き上げ状態を容易に維持できるようになっている。
【０００４】
【特許文献１】特開２００５−３３４６２８号公報
【発明の開示】
【発明が解決しようとする課題】
【０００５】
しかし、特許文献１に記載の毛髪保持具は、巻き上げ用糸が、糸留めの貫通孔内壁との間の摩擦力のみによって、糸留めに固定されているため、パーマネント処理剤等が毛髪保持具にかかり、該処理剤が糸留めの貫通孔内部に入ると、巻き上げ用糸と糸留めの貫通孔内壁との間の摩擦力が低減して、毛髪保持具の巻き上げ状態が緩み、毛髪束から毛髪保持具が脱落する場合があった。
【０００６】
そこで、出願人らは、糸留めと貫通孔内壁との間の摩擦力を大きくすることを検討したが、このような構成をとると、巻き上げ用糸を引く時に必要な力が大きくなり、毛髪保持具の使い易さが低下したり、場合によっては巻き上げ用糸が切れる等、毛髪保持具が破損する問題があった。
【０００７】
従って、本発明の目的は、パーマネント処理剤等がかかっても、その巻き上げ状態が保持されて、頭部に安定して装着される毛髪保持具を提供することにある。
【課題を解決するための手段】
【０００８】
本発明は、一端部の開口部から他端部の開口部に向けて毛髪束を挿入可能にシートにより構成された筒状体と、該筒状体の巻き上げ用の巻き上げ用糸とを備え、該巻き上げ用糸は、その一端が前記筒状体の前記他端部近傍に係止され、その他端側を引っ張ることにより該筒状体が巻き上がるようになされている毛髪保持具において、前記筒状体を巻き上げた後、該筒状体から引き出された前記巻き上げ用糸をその状態で固定するストッパー部を備えており、前記ストッパー部は、変形されて前記巻き上げ用糸を固定するように設けられている毛髪保持具を提供することにより、上記目的を達成したものである。
【発明の効果】
【０００９】
本発明の毛髪保持具によれば、パーマネント処理剤等がかかっても、その巻き上げ状態が保持されて、頭部に安定して装着される。
【発明を実施するための最良の形態】
【００１０】
以下、本発明の毛髪保持具を、その好ましい一実施形態に基づいて、図を参照しながら説明する。
【００１１】
本実施形態の毛髪保持具１は、図１〜１０に示すように、一端部の開口部２１から他端部の開口部２２に向けて毛髪束Ｈを挿入可能にシート２３により構成された筒状体２と、該筒状体２の巻き上げ用の巻き上げ用糸７とを備え、該巻き上げ用糸７は、その一端が筒状体２の他端部２６近傍に係止され、その他端側を引っ張ることにより該筒状体２が巻き上がるようになされている。
また、本実施形態の毛髪保持具１は、筒状体２を巻き上げた後、該筒状体２から引き出された巻き上げ用糸７をその状態で固定するストッパー部３を備えており、ストッパー部３は、変形されて巻き上げ用糸７を固定するように設けられている。
【００１２】
本実施形態の毛髪保持具１について更に詳述する。
毛髪保持具１は、図１に示すように、縦長であり、筒状体２が主体となって形成されている。
筒状体２は、一方の面を形成する一面シート２３Ａ及び他方の面を形成する他面シート２３Ｂからなる。一面シート２３Ａ及び他面シート２３Ｂは、帯状シートであり、その両側端部２４Ａ，２４Ｂ同士が接合されて、一端部の開口部２１及び他端部の開口部２２を有する筒状体２が形成されている。一端部の開口部２１は、毛髪取り込み口となる開口部である。毛髪保持具１は、その一端部の開口部２１を有する一端部２５側を上方にし、他端部の開口部２２を有する他端部２６側を下方に位置させて用いることが好ましい。
筒状体２の大きさは、毛髪の長さ、くせ付けしたい場所、挿入する毛髪束の量等に応じて適宜設定されるが、好ましくは長さが５０〜３５０ｍｍ、幅が２０〜１００ｍｍである。
【００１３】
本実施形態の毛髪保持具１の筒状体２について、更に説明すると、筒状体２を形成するシート２３としては、各種可撓性材料が用いられる。このような可撓性材料としては、メッシュシート、不織布、織布、多孔性若しくは非多孔性の樹脂フィルム、紙又はこれらの複合体等が挙げられる。本実施形態におけるシート２３は、径が４０〜６０μｍのポリエステルを平織したメッシュシートからなる。
【００１４】
筒状体２を形成するシート２３は、具体的用途に即して材料が選択される。例えば、筒状体２内に挿入された毛髪束に対して筒状体２の外部から毛髪処理剤を施したいときには、該毛髪処理剤に対して透過性を有する材料を用いればよい。筒状体２内に挿入された毛髪束のみに毛髪処理剤を施したいときには、該毛髪処理剤に対して非透過性を有する材料を用いればよい。
【００１５】
筒状体２を形成するシート２３の厚みは、特に限定されないが、好ましくは５〜５００μｍである。筒状体２を形成するシート２３の厚み及びテーバーこわさは、シート全体で均一の方が好ましい。尚、前記「テーバーこわさ」は、ＪＩＳ  Ｐ８１２５に規定される「こわさ試験方法」により測定される腰の強さ（剛性）の指標である。
【００１６】
一面シート２３Ａと他面シート２３Ｂとの接合には、ヒートシール、インパルスシール、超音波シール、接着剤、粘着テープ、縫製等が用いられ、本実施形態においては、ヒートシールが用いられている。
【００１７】
次に、毛髪保持具１のストッパー部３について、以下に更に説明する。
毛髪保持具１のストッパー部３は、図１に示すように、筒状体２の一端部２５に接合されている。
ストッパー部３は、図１及び図３に示すように、弾性を有するシート片３１から形成されており、該シート片３１には、貫通孔部３２が設けられており且つ該貫通孔部３２を中心として放射状に延びる一対の切れ目３３，３３が形成されており、該切れ目３３同士は鋭角をなしており、該貫通孔部３２には、巻き上げ用糸７が挿通されている。
【００１８】
シート片３１は、図１及び図２に示すように、横長矩形であり、その長手方向が筒状体２の幅方向と一致している。シート片３１は、図３及び図４に示すように、筒状体２の一端部２５の一面シート２３Ａ側に接合されている。
シート片の寸法は、その筒状体２の幅方向の長さが、筒状体２と略同じであることが好ましく、筒状体２の長手方向と同方向の長さは、好ましくは５〜５０ｍｍ、更に好ましくは１０〜２０ｍｍである。
【００１９】
シート片３１には、貫通孔部３２が設けられており、巻き上げ用糸７が、図２及び図４に示すように、他面シート２３Ｂ側から一面シート２３Ａ側へ向けて、該貫通孔部３２に挿通されている。貫通孔部３２は、筒状体２の幅方向中央よりも、一方の側端部２４Ｂ寄りに位置している。
【００２０】
一対の切れ目３３，３３は、図１に示すように、貫通孔部３２を始点として、一方の側端部２４Ｂ側に向って延びている。切れ目３３同士は鋭角をなしており、一方の側端部２４Ｂへ近づく程、切れ目同士の間隔が広がっている。
「切れ目３３同士が鋭角をなす」とは、一対の切れ目３３，３３それぞれの貫通孔部３２側の一端が、貫通孔部３２の周縁上の一点で、鋭角をなして交わっている場合と、一対の切れ目３３，３３それぞれの貫通孔部３２側の一端が、その延長線上で、鋭角をなして交わっている場合とをいう。
【００２１】
そして、一対の切れ目３３，３３は、詳しくは後述するが、図５及び図６に示すように、筒状体２から引き出されている巻き上げ用糸７が、該切れ目３３に挟まれ、該切れ目３３に解除可能に押圧固定されて、筒状体２の巻き上げられた状態を保持する部位である。
一対の切れ目３３，３３の間には、シート片３１のＶ字部分３５が形成されている。このＶ字部分３５は、シート片３１の他の部分と繋がっている基部３６と一対の切れ目３３，３３により囲まれた部分である。
【００２２】
Ｖ字部分３５は、板バネ状の弾性を有している。Ｖ字部分３５は、外力が加わると、基部３６を支点として、シート片３１の平面に垂直な方向に変形可能であり、外力が取り除かれると、シート片３１の平面内に戻る復元力を有している。
このＶ字部分３５の復元力は、切れ目３３に巻き上げ用糸７が挟まれた状態において、パーマネント処理剤等が毛髪保持具にかかり、該処理剤が切れ目３３に浸み込んでも、巻き上げ用糸７の該切れ目３３における押圧固定状態が維持される大きさであることが好ましい。
【００２３】
貫通孔部３２は、巻き上げ用糸７が挿通可能である大きさを有していることが好ましい。貫通孔部３２は、本実施形態において円形状である。巻き上げ用糸７の径は、通常０．５〜２ｍｍであることが好ましく、貫通孔部３２の径は、１〜８ｍｍ、特に２〜５ｍｍであることが、巻き上げ用糸がスムーズに該貫通孔部３２に挿通される上で好ましい。
一対の切れ目３３，３３それぞれの長さは、１〜１０ｍｍ、特に２〜６ｍｍであることが、巻き上げ用糸７が、切れ目３３に挟まれ、シート片３１に容易に押圧固定され且つこの固定の解除が容易である上で好ましい。
切れ目３３同士がなす角度は、２０〜８０度、特に３０〜６０度であることが、同様の理由から好ましい。
【００２４】
シート片３１の曲げ弾性率は、１，５００〜４，０００ＭＰａ、特に２，０００〜３，０００ＭＰａであることが、前述した観点から好ましい。かかる曲げ弾性率は、ＡＳＴＭ（米国材料試験協会規格）測定法  Ｄ７９０にて規定される。
また、シート片３１の厚みは、０．５〜５ｍｍ、特に１〜３ｍｍであることが、同様の観点から好ましい。
【００２５】
また、本実施形態の毛髪保持具１は、筒状体２の一端部の開口部２１近傍に、図２及び図３に示すように、一面シート２３Ａ及び他面シート２３Ｂそれぞれの内面及び外面に、取り込み口補強シート５１，５１が接合されている。そのため、筒状体２における一端部の開口部２１近傍のテーバーこわさ（剛性）が向上し、一端部の開口部２１への毛髪束の挿入性が向上している。本実施形態における取り込み口補強シート５１，５１は、一面シート２３Ａ及び他面シート２３Ｂと同じ幅の帯状シートから形成されており、それぞれ一面シート２３Ａ及び他面シート２３Ｂに全面的に接合されている。
【００２６】
取り込み口補強シート５１の形成材料としては、不織布、織布、多孔性若しくは非多孔性の樹脂フィルム、紙又はこれらの複合体等が好ましい。特に、前述した一面シート２３Ａ及び他面シート２３Ｂと熱融着性を有する材料を用いることが、取り込み口補強シート５１と該一面シート２３Ａ及び他面シート２３Ｂとを、熱融着できるので加工上好ましい。
【００２７】
また、前述したストッパー部３のシート片３１は、図３に示すように、一面シート２３Ａの外面に接合された取り込み口補強シート５１の外面に接合されている。シート片３１の取り込み口補強シート５１側の面は、貫通孔部３２及びＶ字部分３５を除いて、全面的に取り込み口補強シート５１と接合されていることが好ましい。
このシート片３１の形成材料としては、熱可塑性の樹脂、例えばＰＰ(ポリプロピレン)、ＰＥ(ポリエチレン)、ＰＥＴ（ポリエチレンテレフタレート）、ＰＳ(ポリスチレン)等が好ましく、特に、取り込み口補強シート５１と同様に熱融着性を有する材料を用いることが、シート片３１と該取り込み口補強シート５１とを、熱融着できるので加工上好ましい。
【００２８】
更に、筒状体２の一端部の開口部２１近傍には、図１、図３及び図７に示すように、一面シート２３Ａ及び他面シート２３Ｂの外面それぞれに、指を掛け得る一対の指掛け部４，４が設けられている。本実施形態における一対の指掛け部４，４は、帯状シートが輪状にされて形成されている。一面シート２３Ａの外面に設けられた指掛け部４は、一面シート２３Ａの内面及び外面に接合されている取り込み口補強シート５１，５１それぞれの中央部分が、筒状体２の一端部２５の外方に向って延出し、互いに接合されて形成されている。この指掛け部４の一部は、図３に示すように、シート片３１の外面に接合されている。
また、他面シート２３Ｂの外面に設けられた指掛け部４も同様に形成されている。
【００２９】
指掛け部４の内周長は、それに指を掛けた際の安定感等の観点から、好ましくは４〜１０ｃｍである。指掛け部４の幅は、それに指を掛けた際の安定感や触感等の観点から、好ましくは５〜６０ｍｍである。
指掛け部４は、指を掛けた際の安定性や指の挿入性等の観点から、テーバーこわさが０．４〜１．０ｍＮ・ｍの材料から形成されていることが好ましい。
【００３０】
筒状体２を形成する一面シート２３Ａ及び他面シート２３Ｂには、図１に示すように、それぞれ、筒状体２の巻き上げ用の巻き上げ用糸７を挿通案内する複数個の挿通孔部６Ａ，６Ｂが設けられている。巻き上げ用糸７は、その一端７１が筒状体２の他端部の開口部２２近傍に係止されており、挿通孔部６Ａ，６Ｂに順次挿通案内されて筒状体２の外周面にスパイラル状に巻き付けられている。
【００３１】
巻き上げ用糸７は、筒状体２内に挿入されている毛髪束を、筒状体２ごと巻き上げる手段として用いられる。本発明において巻き上げとは、毛髪束に所定のくせ付けをすること全般を意味し、本来の巻き上げ（スパイラル状の巻き上げ）に加えて例えば湾曲や屈曲も包含される。
【００３２】
巻き上げ用糸７は、これを引っ張って毛髪の巻き上げ操作を行うときに、引きちぎれない程度の強度及び巻き上げ操作を円滑に行い得る柔軟性を有していることが好ましい。この点から、巻き上げ用糸７は各種樹脂等の合成物、木綿や麻等の天然物、レーヨン等の半天然物、各種金属、又はこれらの複合体等から構成されていることが好ましい。また、巻き上げ用糸７は、糸状のものに限られず、例えば細長い帯状のものでもよい。
【００３３】
巻き上げ用糸７は、一面シート２３Ａ及び他面シート２３Ｂにおける両側部に互い違いに形成された挿通孔部６Ａ，６Ｂに、ジグザグの軌跡を描くように挿通されて、筒状体２に取り付けられている。詳細には、筒状体２は、その両側部に第１の挿通孔部６Ａからなる第１の挿通孔部列と、第２の挿通孔部６Ｂからなる第２の挿通孔部列とを有している。第１の挿通孔部列における隣接する挿通孔部６Ａ，６Ａの間隔は一定になっている。第２の挿通孔部列においても同様であり、その間隔は第１の挿通孔部列と同じになっている。そして、各挿通孔部列における挿通孔部６Ａ，６Ｂは、互いに半ピッチずれるように互い違いに配置されている。
【００３４】
筒状体２の側端部２４Ａ，２４Ｂは、直線状にシールが施されており、これにより一面シート２３Ａと他面シート２３Ｂとが一体的に接合されている。
【００３５】
巻き上げ用糸７は、他端部の開口部２２に最も近接した第１の挿通孔部６Ａに、一面シート２３Ａから他面シート２３Ｂに向けて挿通され、その位置から斜め左上方に位置する第２の挿通孔部６Ｂに向けて、他面シート２３Ｂの外面に沿って配されている。そして、第２の挿通孔部６Ｂにおいて、他面シート２３Ｂから一面シート２３Ａに向けて挿通されている。第２の挿通孔部６Ｂに挿通された巻き上げ用糸７は、その位置から斜め右上方に位置する第１の挿通孔部６Ａに向けて、一面シート２３Ａの外面に沿って配されている。以後、この挿通が繰り返され、巻き上げ用糸７はジグザグの軌跡を描くことになる。
【００３６】
巻き上げ用糸７の一端７１には、矩形のシートからなる係止片７３が形成されており、該係止片７３が、他端部の開口部２２に最も近接した挿通孔部６Ａに引っ掛かり、引き抜かれないように係止される。一端部の開口部２１に最も近接した挿通孔部６Ｃにおいては、巻き上げ用糸７は自由状態になっている。一端部の開口部２１に最も近接した挿通孔部６Ｃに隣接して、貫通孔部３２が設けられており、この貫通孔部３２に、巻き上げ用糸７の他端７２が挿通されている。巻き上げ用糸７の他端７２には、矩形のシートからなる係止片７４が形成されており、貫通孔部３２に引っ掛かり、他端７２が引き抜かれないように係止される。
従って、巻き上げ用糸７の他端７２側を引っ張ると、図５に示すように、筒状体２は、スパイラル状に変形する。
【００３７】
尚、巻き上げ用糸７の他端７２に位置する係止片７４には、筒状体２の一端部２５近傍に脱着自在に接合される接合部を設けておくことが好ましい。例えば、一対の指掛け部４，４を面ファスナのメス材となる不織布から形成すると共に、係止片７４に前記接合部としての面ファスナのオス材を接合しておくことが好ましい。
【００３８】
更に説明すると、挿通孔部６Ｃは、他面シート２３Ｂのみに設けられている。また、一面シート２３Ａには、貫通孔部３２と同じ位置に挿通孔部６Ｄが設けられている。巻き上げ用糸７の他端７２は、図４に示すように、他面シート２３Ｂ側から一面シート２３Ａ側へ向けて、挿通孔部６Ｃに挿通され、更に挿通孔部６Ｄ及び貫通孔部３２に挿通されて、筒状体２の一面シート２３Ａ側に出ている。
【００３９】
前述した筒状体２が巻き上げられた状態は、以下に説明するように、筒状体２から引き出されている巻き上げ用糸７を、ストッパー部３に解除可能に押圧固定して保持される。
図５に示すように、巻き上げられた筒状体２について、更に巻き上げ用糸７の他端７２側を引っ張り、巻き上げ用糸７を、貫通孔部３２から切れ目３３へ移動させ、図６に示すように、該切れ目３３に食い込ませる。このようにして、切れ目３３に挟まれた巻き上げ用糸７の部分は、該切れ目３３に解除可能に押圧固定される。
図６に示すように、巻き上げ用糸７が、ストッパー部３に解除可能に押圧固定されると、巻き上げ用糸７の他端７２側を引っ張ることを止めても、筒状体２から引き出されている巻き上げ用糸７の延出長さは一定に保たれると共に、筒状体２が巻き上げられた状態が保持される。
【００４０】
更に詳述すると、一対の切れ目３３，３３は、貫通孔部３２を中心として放射状に延びるように形成されているので、巻き上げ用糸７の他端７２側を、筒状体２の一方の側端部２４Ｂ側の外方に向けて引っ張れば、巻き上げ用糸７が、貫通孔部３２から一対の切れ目３３，３３の何れか一方にスムーズに移動し、該切れ目３３に食い込む。
【００４１】
また、巻き上げ用糸７の他端７２側を引っ張る操作において、巻き上げ用糸７は、貫通孔部３２を挿通させていても良いし、又は切れ目３３に挟まれた状態であっても良い。筒状体２の巻き上げ操作中は、巻き上げ用糸７により、シート片３１のＶ字部分３５は外力を受け、図８に示すように、一面シート２３Ａの外方に向って押し広げられるように変形している。そのため、切れ目３３の隙間が広がっており、多少の負荷はかかるものの、巻き上げ用糸７の他端７２側を引っ張る操作は容易である。
【００４２】
そして、巻き上げ用糸７の他端７２側を引っ張ることを止めると、Ｖ字部分３５は、外力がなくなるので、その弾性による復元力により、シート片３１の面内に戻ろうとする。そのため、切れ目３３の隙間が狭まり、その狭まった隙間に巻き上げ用糸７が押圧固定される。この状態において、Ｖ字部分３５は、一面シート２３Ａの外方に向ってやや開いた状態に変形している。
【００４３】
一方、筒状体２が巻き上げられた状態を解除する場合には、例えば、以下に詳述するように、筒状体２の一端部の開口部２１を、ストッパー部３を有する一面シート２３Ａ側が凸となるように、軽く湾曲させるか、折り曲げることにより、ストッパー部３に押圧固定されている巻き上げ用糸７を容易に解除できる。
【００４４】
図９に示すように、筒状体２の一端部の開口部２１を、ストッパー部３を有する一面シート２３Ａ側が凸となるように軽く湾曲させるか折り曲げると、Ｖ字部分３５が、一面シート２３Ａの外方に向って開くので、切れ目３３に挟まれている巻き上げ用糸７の押圧固定状態を解除できる。そして、筒状体２の他端部２６を引っ張ることにより、または挿入されている毛髪の剛性によって、一気に巻上げ状態が開放されることにより、筒状体２は、巻き上げ用糸７と共に引き延ばされて、図１に示すように、巻き上げ状態から開放される。
【００４５】
図９に示す場合を例に更に詳述すると、筒状体２の一端部の開口部２１を、ストッパー部３を有する一面シート２３Ａ側が凸となるように、軽く湾曲させると、シート片３１は、Ｖ字部分３５を除いて、図９に示すように、所定の曲率で湾曲した状態となる。一方、Ｖ字部分３５は、その基部３６から先の部分（基部３６と一対の切れ目３３，３３により囲まれた部分）が、略直線状に該基部３６から延びた状態となり、Ｖ字部分３５が、シート片３１の他の部分に対して、一面シート２３Ａの外方に向って開いた状態が得られる。その結果、切れ目３３の隙間が拡がり、巻き上げ用糸７の押圧固定状態が解除される。さらに、挿入されている毛髪の剛性によって、一気に巻上げ状態が開放され、図１に示すように、巻き上げ状態から開放される。
【００４６】
上述した内容が、前述した“ストッパー部は、巻き上げ用糸を解除可能に押圧固定するように設けられている”状態の一例である。
【００４７】
また、筒状体２の一端部の開口部２１を湾曲又は折曲させる操作を行わずに、巻き上げ用糸７の他端７２側を、筒状体２の幅方向中央に向って引っ張り、該巻き上げ用糸７を切れ目３３から貫通孔部３２へ移動することによっても、切れ目３３に挟まれている巻き上げ用糸７の押圧固定状態を解除できる。巻き上げ用糸７の押圧固定状態が解除されると、筒状体２に挿入されている毛髪の剛性によって、一気に巻上げ状態が開放され、図１に示すように、巻き上げ状態から開放された状態となる。
筒状体２の一端部の開口部２１を湾曲又は折曲させつつ、巻き上げ用糸７を引っ張り、該巻き上げ用糸７を、切れ目３３から貫通孔部３２へ移動させても良い。
【００４８】
前述した筒状体２の巻き上げ保持及びその解除操作は、繰り返し行うことができる。
【００４９】
本実施形態の毛髪保持具１について、更に説明すると、毛髪束からの毛髪保持具の脱落をし難くする為に、筒状体２の内表面における一端部の開口部２１側に、毛髪に対して高摩擦性を有する高摩擦性部材が配設されていても良い。詳述すると、高摩擦性部材は、一面シート２３Ａ及び他面シート２３Ｂにおける内表面（筒状体２の挿入空間に面した表面）の幅方向中央部にそれぞれ配設されることが好ましい。
【００５０】
高摩擦性部材は、例えば、一面シート２３Ａ及び他面シート２３Ｂそれぞれの内表面に、それらとは別体のシート片を接合することにより形成することができる。該シート片としては、樹脂フィルム、紙、金属板又はこれらの複合体が挙げられる。また、高摩擦性部材は、一面シート２３Ａ及び他面シート２３Ｂそれぞれの内表面に、ホットメルト接着剤を面状に塗工して形成することができる。
【００５１】
このように構成された本実施形態の毛髪保持具１の一使用方法について、パーマネント処理を例に、図１０を参照しながら説明する。尚、図１０においては、毛髪保持具１を簡略化して図示している。
【００５２】
まず、毛髪束Ｈを筒状体２の内部に挿入する。この際、特開２００５−３３４６２８号公報等に記載の毛髪挿入具を用いることが好ましい。
【００５３】
次に、筒状体２における一端部の開口部２１近傍を指（図示せず）で軽く押さえる。この状態下に、図１０（ａ）に示すように、筒状体２の外周面に巻き付けられている巻き上げ用糸７の他端７２近傍又は係止片７４を引っ張る。すると図１０（ｂ）及び図１０（ｃ）に示すように、毛髪束Ｈは、筒状体２と共にスパイラル状に巻き上げられて、小さくまとめられる。
この状態を保持するために、図１０（ｃ）に示すように、筒状体２から引き出されている巻き上げ用糸７を、ストッパー部３に解除可能に押圧固定して、筒状体２の巻き上げ状態を維持する。そして、巻き上げ用糸７の他端７２に位置する係止片７４を、指掛け部４に脱着自在に接合する。
【００５４】
筒状体２が巻き上げられた状態下に、筒状体２に向けて第１のパーマネント処理剤（還元剤）を付与する（図示せず）。筒状体２はパーマネント処理剤に対して透過性の材料から構成されているので、パーマネント処理剤は筒状体２を透過して毛髪束Ｈに施される。
所定時間放置後、毛髪保持具１及び毛髪束Ｈに付着した第１のパーマネント処理剤を水ですすぎ洗いをする。
【００５５】
その後、筒状体２に向けて第２のパーマネント処理剤（酸化剤）を付与し、再び所定時間放置する。これによって、筒状体２内に挿入されている毛髪束Ｈに対して、その巻き上げ形態のパーマネントウエーブが掛けられる。その後、巻き上げ用糸７をストッパー部３による押圧固定状態から解除して、筒状体２を巻き上げ状態から開放する。引き続き、毛髪束Ｈを筒状体２から取り出し、すすぎ洗いをし、更にシャンプー及びブローをする。
【００５６】
前述した本実施形態の毛髪保持具１によれば、巻き上げ用糸７の他端７２側を引っ張ることにより、ワンアクションで、巻き上げ用糸７をストッパー部３に、機械的に固定し、筒状体２の巻き上げ状態を保持できる。そして、パーマネント処理剤等がストッパー部３にかかっても、その巻き上げ状態が保持されて、毛髪保持具１は頭部に安定して装着される。
また、筒状体２の巻き上げ状態の解除は、ストッパー部を曲げる等の操作によりワンアクションで解除することができる。
【００５７】
次に第２〜８実施形態の毛髪保持具１を、図１１〜図１７を参照しながら説明する。第２〜８実施形態について、特に説明しない点については、第１実施形態に関して詳述した説明が適宜適用される。また、図１１〜図１７において、図１〜図１０と同じ部材に同じ符号を付してある。尚、図１１〜図１６において、指掛け部４の記載を省略している。
【００５８】
本発明の好ましい第２実施形態の毛髪保持具１において、ストッパー部３は、図１１（ａ）に示すように、弾性を有するシート片３１から形成されており、該シート片３１には、貫通孔部３２が設けられており且つ該貫通孔部３２から直線状に延びる切れ目３３が形成されており、該貫通孔部３２には、巻き上げ用糸７が挿通されている。
【００５９】
本実施形態において、貫通孔部３２は矩形形状を有している。切れ目３３は、貫通孔部３２の側端部２４Ｂ側の一辺から、該側端部２４Ｂ側に向って直線状に延びている。
【００６０】
切れ目３３は、外力が加わると、該切れ目の隙間が広がると共に、シート片３１の平面に垂直な方向にめくれるように変形可能であり、外力が取り除かれると、シート片３１の平面内に戻る復元力を有している。
この切れ目３３の復元力は、切れ目３３に巻き上げ用糸７が挟まれた状態において、パーマネント処理剤等が毛髪保持具にかかり、該処理剤が切れ目３３に浸み込んでも、巻き上げ用糸７の該切れ目３３における押圧固定状態が維持される大きさであることが好ましい。
【００６１】
筒状体２から引き出されている巻き上げ用糸７を、ストッパー部３に解除可能に押圧固定するには、巻き上げ用糸７の他端７２側を引っ張り、巻き上げ用糸７を、貫通孔部３２から切れ目３３へ移動させ、該切れ目３３に食い込ませる。このようにして、切れ目３３に挟まれた巻き上げ用糸７の部分は、該切れ目３３に解除可能に押圧固定される。
この状態において、切れ目３３は、巻き上げ用糸７を挟んでいる分だけ、その隙間がやや開いた状態に変形している。
【００６２】
貫通孔部３２の一辺の長さは、好ましくは１〜１０ｍｍ、更に好ましくは２〜５ｍｍである。また、切れ目３３の長さは、好ましくは１〜１０ｍｍ、更に好ましくは２〜６ｍｍである。
その他の構成は、前述した実施形態と同様である。
また、本実施形態の毛髪保持具１によれば、前述した実施形態と同様の効果が奏される。
【００６３】
本発明の好ましい第３実施形態の毛髪保持具１において、ストッパー部３は、図１１（ｂ）に示すように、筒状体２とは分離して設けられている。ストッパー部３は、矩形形状の弾性を有するシート片３１から形成されており、該シート片３１には、貫通孔部３２が設けられており且つ該貫通孔部３２から直線状に延びる切れ目３３が形成されており、該貫通孔部３２には、巻き上げ用糸７が挿通されている。
【００６４】
本実施形態の筒状体２には、第１実施形態に設けられていた挿通孔部６Ｃ及び挿通孔部６Ｄがなく、替わりに、一端部の開口部２１に最も近接した挿通孔部６Ｂが設けられている。
【００６５】
ストッパー部３は、巻き上げ用糸７に沿って移動自在になっていると共に、所定位置で固定できるようになっている。そのため、筒状体２を巻き上げた後において、ストッパー部３を、一端部の開口部２１に最も近接した挿通孔部６Ｂ近傍に移動し、その位置で固定することにより、筒状体２の巻き上げ状態を容易に維持できるようになっている。
【００６６】
ストッパー部３の固定は、巻き上げ用糸７を、貫通孔部３２から切れ目３３へ移動させて、該切れ目３３に食い込ませ、切れ目３３に挟まれた巻き上げ用糸７の部分が、該切れ目３３に解除可能に押圧固定されてなされる。そして、筒状体２の巻き上げ状態が保持される。
その他の構成は、前述した第２実施形態と同様である。
【００６７】
本発明の好ましい第４実施形態の毛髪保持具１において、ストッパー部３は、図１２（ａ）に示すように、弾性を有するシート片３１から形成されており、該シート片３１には、一対の切れ目３３，３３が形成されており、一対の該切れ目３３，３３には、巻き上げ用糸７が挿通されている。
一対の切れ目３３，３３は、筒状体２の幅方向中央よりも、一方の側端部２４Ｂ寄りに位置している。一対の切れ目３３，３３の該切れ目の向きは、筒状体２の長手方向と略一致している。
【００６８】
一対の切れ目３３，３３に挟まれたシート片３１の部分Ｐは、板バネ状の弾性を有している。部分Ｐは、シート片３１の他の部分と繋がっている両端部と、一対の切れ目３３，３３に囲まれたシート片３１の矩形形状の部分である。
部分Ｐは、外力が加わると、シート片３１の他の部分と繋がっている両端部を支点として、シート片３１の平面に垂直な方向に変形可能であり、外力が取り除かれると、シート片３１の平面内に戻る復元力を有している。
この部分Ｐの復元力は、一対の切れ目３３，３３に巻き上げ用糸７が挟まれた状態において、パーマネント処理剤等が毛髪保持具にかかり、該処理剤が一対の切れ目３３，３３に浸み込んでも、巻き上げ用糸７の一対の切れ目３３，３３における押圧固定状態が維持される大きさであることが好ましい。
【００６９】
本実施形態の毛髪保持具１について、更に説明すると、巻き上げ用糸７の他端７２は、一端部の開口部２１に最も近接した位置にある挿通孔部６Ａにおいて、他面シート２３Ｂから一面シート２３Ａに向けて挿通され、その位置から、斜め左上方に位置する一対の切れ目３３，３３に向けて、一面シート２３Ａの外面に沿って配されている。そして、巻き上げ用糸７の一端７２は、一対の切れ目３３，３３において、筒状体２の幅方向中央側の一方の切れ目３３から他方の切れ目３３へ挿通されている。巻き上げ用糸７は、一対の切れ目３３，３３間では、部分Ｐの裏側に位置している。
【００７０】
このように、巻き上げ用糸７は、一対の切れ目３３，３３において、一対の切れ目３３，３３に挟まれたシート片３１の部分Ｐの復元力により、押圧固定されている。
【００７１】
本実施形態の毛髪保持具１は、第１実施形態に設けられていた挿通孔部６Ｃ及び挿通孔部６Ｄがなく、また、貫通孔部もない。その他の構成は、第１実施形態と同様である。
【００７２】
前述した本実施形態の毛髪保持具１によれば、巻き上げ用糸７は、ストッパー部３において、一対の切れ目３３，３３に挟まれたシート片３１の部分Ｐによる矩形形状の面で押圧固定されており、筒状体２の巻き上げ状態の保持性が極めて高い。
【００７３】
本発明の好ましい第５実施形態の毛髪保持具１において、ストッパー部３は、図１２（ｂ）に示すように、筒状体２とは分離して設けられている。ストッパー部３は、矩形形状の弾性を有するシート片３１から形成されており、該シート片３１には、一対の切れ目３３，３３が形成されており、一対の該切れ目３３，３３には、巻き上げ用糸７が挿通されている。
【００７４】
ストッパー部３は、巻き上げ用糸７に沿って移動自在になっていると共に、所定位置で固定できるようになっている。そのため、筒状体２を巻き上げた後において、ストッパー部３を、一端部の開口部２１に最も近接した挿通孔部６Ｂ近傍に移動し、その位置で固定することにより、筒状体２の巻き上げ状態を容易に維持できるようになっている。
その他の構成は、前述した第４実施形態と同様である。
【００７５】
本発明の好ましい第６実施形態の毛髪保持具１において、ストッパー部３は、図１３（ａ）及び（ｂ）に示すように、筒状体２の一端部２５に接合されている。ストッパー部３は扁平筒状体３７であり、該扁平筒状体３７には巻き上げ用糸７が挿通されており、該扁平筒状体３７は、塑性変形可能である。扁平筒状体３７の内筒部が、貫通孔部３２である。
【００７６】
本実施形態の毛髪保持具１について、更に説明する。
扁平筒状体３７は、縦長矩形であり、筒状体２の一端部２５の側端部２４Ｂから、筒状体２の幅方向外方に向って延出している。扁平筒状体３７は、その扁平な面が、筒状体２の扁平な面と一致している。
扁平筒状体３７と筒状体２とは、横長矩形の接合シート片３８により接合されている。
【００７７】
扁平筒状体３７は、アルミニウム箔、鉛板、変形可能なポリエチレン樹脂でできた板状体（例:テクノロート  三井化学製）等の塑性変形する板状体から形成することができる。また、塑性変形性を有する樹脂から筒状体を形成しても良い。この場合、ストッパー部３は、扁平な筒状体でなくても良い。
【００７８】
本実施形態の筒状体２には、第１実施形態に設けられていた挿通孔部６Ｃ及び挿通孔部６Ｄがなく、代わりに、一端部の開口部２１に最も近接した挿通孔部６Ｂが設けられている。巻き上げ用糸７の一端７２は、この挿通孔部６Ｂにおいて、他面シート２３Ｂから一面シート２３Ａに向けて挿通され、その位置から、扁平筒状体３７に挿通されている。
【００７９】
扁平筒状体３７は、図１４（ａ）及び（ｂ）に示すように、その長手方向を２つ折りすることにより、巻き上げ用糸７を該扁平筒状体３７に押圧固定するものである。このように２つ折りに変形された扁平筒状体３７の折曲部において、内部に挿通されている巻き上げ用糸７が解除可能に確実に押圧固定される。
そのため、パーマネント処理剤等が毛髪保持具１にかかり、該処理剤が扁平筒状体３７の内部に浸み込んでも、巻き上げ用糸７の押圧固定状態が維持される。
【００８０】
一方、扁平筒状体３７における巻き上げ用糸７の押圧固定状態を解除するには、２つ折りされている扁平筒状体３７を開いて、元の状態に戻せば良い。
【００８１】
本発明の好ましい第７実施形態の毛髪保持具１において、ストッパー部３は、図１５に示すように、筒状体２とは分離して設けられている。
【００８２】
ストッパー部３は、巻き上げ用糸７に沿って移動自在になっていると共に、所定位置で固定できるようになっている。そのため、筒状体２を巻き上げた後において、ストッパー部３を、一端部の開口部２１に最も近接した挿通孔部６Ｂ近傍に移動し、その位置で固定することにより、筒状体２の巻き上げ状態を容易に維持できるようになっている。
その他の構成は、前述した第６実施形態と同様である。
【００８３】
本発明の好ましい第８実施形態の毛髪保持具１において、ストッパー部３は、図１６に示すように、筒状体２とは分離して設けられている。ストッパー部３は貫通孔部３２が設けられており、該貫通孔部３２に巻き上げ用糸７が挿通されている。
【００８４】
本実施形態の毛髪保持具１について、更に説明すると、ストッパー部３は、図１７（ａ）（ｂ）に示すように、円筒形状の本体部３Ａと押圧部３Ｂとから形成されている。本体部３Ａは、内部に円筒形状の空間を有しており、該空間の長手方向の一方は開放されていて、他方は塞がっている。押圧部３Ｂは、円板状の天板部３Ｄと該天板部３Ｄの中央部に垂接された円柱体部３Ｃを有している。円柱体部３Ｃは、本体部３Ａ内部の円筒形状の空間に、所定の長さをスライド可能に挿入されている。円柱体部３Ｃは、天板部３Ｄとは反対側の端部が、本体部３Ａ内部に配されているバネ体（図示せず）により、本体部３Ａの開放されている一方の側へ押されている。一方、円柱体部３Ｃは、その周面に設けられた突起状の係止部（図示せず）が、本体部３Ａ内部に設けられた突起部（図示せず）に係止して、本体部３Ａから外れないようになっている。
【００８５】
このように、ストッパー部３は、バネ体の力に逆らって押圧部３Ｂの天板部３Ｄを押すことにより、該押圧部３Ｂが、本体部３Ａの塞がっている他方の側へ、本体部３Ａ内部で所定の長さをスライド可能になっている。
【００８６】
本体部３Ａには、図１７（ａ）及び（ｂ）に示すように、該本体部３Ａを貫通する貫通孔部３２が設けられている。また、押圧部３Ｂの円柱体部３Ｃにも、該円柱体部３Ｃを貫通する貫通孔部３２´が設けられている。貫通孔部３２´の径は、貫通孔部３２の径と同等か又は小さく形成されており、両孔部の径は、巻き上げ用糸７の径よりも大きく形成されている。そして、押圧部３Ｂをバネ体の力に逆らって押すと、図１７（ａ）に示すように、貫通孔部３２と貫通孔部３２´とが一致するようになっている。
【００８７】
一方、押圧部３Ｂを押すことを止めると、該押圧部３Ｂはバネ体により押されて、貫通孔部３２´と貫通孔部３２とが一致する部分がなくなり、該貫通孔部３２は、円柱体部３Ｃにより塞がれる。
【００８８】
本実施形態の毛髪保持具１は、本体部３Ａの貫通孔部３２及び円柱体部３Ｃの貫通孔部３２´を一致させた状態で、巻き上げ用糸７が挿通されている。そして、押圧部３Ｂが押されていない状態では、図１７（ｂ）に示すように、巻き上げ用糸７が、バネ体により押された円柱体部３Ｃと本体部３Ａの貫通孔部３２との間で、確実に押圧固定される。
そのため、パーマネント処理剤等が毛髪保持具１にかかり、該処理剤がストッパー部３の貫通孔部３２の内部に浸み込んでも、巻き上げ用糸７の押圧固定状態が維持される。
【００８９】
巻き上げ用糸７のストッパー部３への押圧固定状態は、押圧部３Ｂを押して、貫通孔部３２と貫通孔部３２´とを一致させることにより解除される。
【００９０】
前述したストッパー部３は、いわゆるコードストッパーと呼ばれるものである。例えば、ＹＫＫファスニングプロダクツ販売（株）製の型番ＬＣ−ＳＲ等を用いることができる。
【００９１】
本実施形態の毛髪保持具１について、更に説明すると、ストッパー部３は、巻き上げ用糸７に沿って移動自在になっていると共に、所定位置で固定できるようになっている。そのため、筒状体２を巻き上げた後において、ストッパー部３を、一端部の開口部２１に最も近接した挿通孔部６Ｂ近傍に移動し、その位置で固定することにより、筒状体２の巻き上げ状態を容易に維持できるようになっている。
その他の構成は、前述した第３実施形態と同様である。
【００９２】
本発明の毛髪保持具は、前述した実施形態に制限されることなく、本発明の趣旨を逸脱しない限り適宜変更が可能である。
例えば、本発明の毛髪保持具１は、第１実施形態において、一対の切れ目３３，３３が、貫通孔部３２を中心として外方に延びる向きが、一方の側端部２４Ｂ側であったが、他の方向に向って延びていても良い。
【００９３】
前述した一の実施形態における要件は、適宜、各実施形態間で相互に置換可能である。
【図面の簡単な説明】
【００９４】
【図１】図１は、本発明の毛髪保持具の第１実施形態を示す正面図である。
【図２】図２は、図１の部分背面図である。
【図３】図３は、図１のＸ−Ｘ線部分断面図である。
【図４】図４は、図１の上面図である。
【図５】図５は、図１に示す毛髪保持具を巻き上げた状態を示す斜視図である。
【図６】図６は、図５の要部の拡大斜視図である。
【図７】図７は、図１に示す毛髪保持具における一端部の開口部を開口した状態を示す斜視図である。
【図８】図８は、図７の上面図である。
【図９】図９は、図１に示す毛髪保持具における一端部の開口部を軽く湾曲させた状態を示す斜視図である。
【図１０】図１０（ａ）〜（ｃ）は、図１に示す毛髪保持具の一使用態様を示す図で、（ａ）、（ｂ）及び（ｃ）は、それぞれ毛髪束の巻回手順を順次示す斜視図である。
【図１１】図１１（ａ）及び（ｂ）は、それぞれ本発明の毛髪保持具の第２及び第３実施形態を示す部分正面図である。
【図１２】図１２（ａ）及び（ｂ）は、それぞれ本発明の毛髪保持具の第４及び第５実施形態を示す部分正面図である。
【図１３】図１３（ａ）及び（ｂ）は、本発明の毛髪保持具の第６実施形態を示しており、（ａ）は部分正面図であり、（ｂ）は上面図である。
【図１４】図１４は、図１３に示す毛髪保持具の一使用態様を示す図で、（ａ）は部分正面図であり、（ｂ）は上面図である。
【図１５】図１５は、本発明の毛髪保持具の第７実施形態を示す部分正面図である。
【図１６】図１６は、本発明の毛髪保持具の第８実施形態を示す部分正面図である。
【図１７】図１７（ａ）及び（ｂ）は、図１６に示す毛髪保持具のストッパー部を示しており、（ａ）は巻き上げ用糸を固定していない状態であり、（ｂ）は巻き上げ用糸を固定している状態である。
【符号の説明】
【００９５】
１    毛髪保持具
２    筒状体
２１  一端部の開口部
２２  他端部の開口部
２３  シート
２３Ａ  一面シート
２３Ｂ  他面シート
２４Ａ，２４Ｂ  側端部
２５  一端部
２６  他端部
３    ストッパー部
３１  シート片
３２  貫通孔部
３３  切れ目
３４  扁平筒状体
３５  Ｖ字部分
３６  基部
３７  扁平筒状体
４    指掛け部
５１    取り込み口補強シート
６Ａ、６Ｂ、６Ｃ、６Ｄ    挿通孔部
７    巻き上げ用糸
７１  一端
７２  他端
７３、７４  係止片
Ｆ    指
Ｈ    毛髪束
【図１】
2008142432.tif 000003
【図２】
2008142432.tif 000004
【図３】
2008142432.tif 000005
【図４】
2008142432.tif 000006
【図５】
2008142432.tif 000007
【図６】
2008142432.tif 000008
【図７】
2008142432.tif 000009
【図８】
2008142432.tif 000010
【図９】
2008142432.tif 000011
【図１０】
2008142432.tif 000012
【図１１】
2008142432.tif 000013
【図１２】
2008142432.tif 000014
【図１３】
2008142432.tif 000015
【図１４】
2008142432.tif 000016
【図１５】
2008142432.tif 000017
【図１６】
2008142432.tif 000018
【図１７】
2008142432.tif 000019